(57)【要約】【課題】軽量化を実現しつつ耐荷重性を高めたスケートボード用のデッキを提供すること。【解決手段】薄板状の木板１１，１２，１３により形成された芯材部１０と、芯材部１０の厚さ方向の上方側の面に接着されるとともに薄板状の繊維強化プラスチック板２１により形成された表面補強部２０と、芯材部１０の厚さ方向の下方側の面に接着されるとともに薄板状の第２繊維強化プラスチック板３１により形成された裏面補強部３０と、表面補強部２０の厚さ方向の上方側の面に接着されるとともに薄板状の表面板４１により形成された表面部４０と、裏面補強部３０の厚さ方向Ｔｄの下方側の面に接着されるとともに薄板状の裏面板５１により形成された裏面部５０と、を備えることを特徴とするスケートボード用のデッキ１００を提供する。【選択図】図４
2020018836.tif 000002
【特許請求の範囲】
【請求項１】
長手方向に沿って形成されたスケートボード用のデッキであって、
厚さ方向の中央部に配置されるとともに薄板状の木板により形成された芯材部と、
前記芯材部の前記厚さ方向の上方側の面に接着されるとともに薄板状の第１繊維強化プラスチック板により形成された表面補強部と、
前記芯材部の前記厚さ方向の下方側の面に接着されるとともに薄板状の第２繊維強化プラスチック板により形成された裏面補強部と、
前記表面補強部の前記厚さ方向の上方側の面に接着されるとともに薄板状の表面板により形成された表面部と、
前記裏面補強部の前記厚さ方向の下方側の面に接着されるとともに薄板状の裏面板により形成された裏面部と、を備えることを特徴とするスケートボード用のデッキ。
【請求項２】
前記木板は、木目方向が前記長手方向と、前記長手方向に直交する幅方向と、前記長手方向及び前記幅方向に対して傾斜した斜め方向との少なくともいずれかに沿っていることを特徴とする請求項１に記載のスケートボード用のデッキ。
【請求項３】
前記第１繊維強化プラスチック板及び前記第２繊維強化プラスチック板は、繊維方向が前記長手方向又は前記長手方向に直交する幅方向の少なくともいずれかに沿っていることを特徴とする請求項１又は請求項２に記載のスケートボード用のデッキ。
【請求項４】
前記第１繊維強化プラスチック板の外縁は、該第１繊維強化プラスチック板の全周において少なくとも前記表面板の外縁よりも内側に位置しており、
前記第２繊維強化プラスチック板の外縁は、該第２繊維強化プラスチック板の全周において少なくとも前記裏面板の外縁よりも内側に位置していることを特徴とする請求項１から請求項３のいずれか一項に記載のスケートボード用のデッキ。
【請求項５】
前記第１繊維強化プラスチック板及び前記第２繊維強化プラスチック板は、前記長手方向の中央部における前記長手方向に直交する幅方向の長さが、前記デッキの前記長手方向の両端部における前記木板の前記幅方向の長さよりも短いことを特徴とする請求項１から請求項４のいずれか一項に記載のスケートボード用のデッキ。
【請求項６】
前記木板は、前記長手方向の中央部における前記長手方向に直交する幅方向の長さが、前記デッキの前記長手方向の両端部における前記幅方向の長さよりも短いことを特徴とする請求項１から請求項５のいずれか一項に記載のスケートボード用のデッキ。
【請求項７】
前記第１繊維強化プラスチック板の全周を囲むように外枠状に配置されるとともに前記表面部と前記芯材部とに挟まれる空間を充填する第１充填材と、
前記第２繊維強化プラスチック板の全周を囲むように外枠状に配置されるとともに前記裏面部と前記芯材部とに挟まれる空間を充填する第２充填材と、を備え、
前記第１充填材は、前記木板の外縁及び／又は前記表面板の外縁と略一致する位置まで充填されており、
前記第２充填材は、前記木板の外縁及び／又は前記裏面板の外縁と略一致する位置まで充填されていることを特徴とする請求項１から請求項６のいずれか一項に記載のデッキ。
【請求項８】
前記裏面板は、超高分子量ポリエチレン樹脂により形成されていることを特徴とする請求項１から請求項７のいずれか一項に記載のスケートボード用のデッキ。
【請求項９】
前記芯材部と前記表面補強部との間、前記芯材部と前記裏面補強部との間、前記表面補強部と前記表面部との間、前記裏面補強部と前記裏面部との間の少なくともいずれかは、不織布を介在させた状態で接着剤により接合されていることを特徴とする請求項１から請求項８のいずれか一項に記載のスケートボード用のデッキ。
【請求項１０】
請求項１から請求項９のいずれか一項に記載のスケートボード用のデッキと、
前記デッキの裏面に取り付けられる車輪と、を備えるスケートボード。
【発明の詳細な説明】
【技術分野】
【０００１】
本発明は、スケートボード用のデッキ及びそれを備えたスケートボードに関する。
【背景技術】
【０００２】
スケートボードは、長方形の角部を円状に丸めた平板の両端部をさらに上面側へ反り曲げた形状を有するデッキと、このデッキの下面に走行用の車輪を複数取り付けた路上滑走具である。使用者は、デッキの上面に両足を乗せてスケートボードを操作することによりコース路面を走行する。スケートボードの使用者は、特に競技などでは、様々な技を駆使して技量演技を行う。技量演技として、例えば、コース上に設けられた障害物を避けて飛んだり、階段を跳ねたり、手摺りなどの上を滑ったり、路上で回ったり、斜めにしたデッキの下面を路面に擦ってブレーキを掛けたりする。
【０００３】
スケートボード用のデッキの多くは、軽量化するために、薄板状の木材を積層した構造となっている。木材の耐荷重性に制限があるため、大きくジャンプする時や着地時に使用者の両足からデッキに伝達される衝撃によりデッキが折れてしまうことがある。また、デッキの下面で手摺りの上を滑ったりデッキの下面でブレーキを掛けたりするため、デッキの下面が早期に摩耗してしまうなど耐久性が低かった。さらに、デッキをほぼ木材だけで構成するため、デッキが保管される場所の温度や湿度の変化で反り等の変形が発生するなどの問題もあった。特許文献１には、木材を一切使用せず、繊維強化熱可塑性樹脂からなるテープ状プリプレーグにより成形されたデッキ成形品が開示されている。
【先行技術文献】
【特許文献】
【０００４】
【特許文献１】特開２０１６−０２２０９４号公報
【発明の概要】
【発明が解決しようとする課題】
【０００５】
特許文献１に開示されるデッキ成形品は、ガラス繊維や炭素繊維で強化された熱可塑性樹脂で全体が成形されているため、薄板上の木材を積層した構造に比べて強度的性能には優れるものの重量が重くなってしまう。
【０００６】
本発明は、前記課題を解決するためになされたものであり、軽量化を実現しつつ耐荷重性を高めたスケートボード用のデッキ及びそれを備えたスケートボードを提供することを目的とする。
【課題を解決するための手段】
【０００７】
前記課題は、本発明によれば、長手方向に沿って形成されたスケートボード用のデッキであって、厚さ方向の中央部に配置されるとともに薄板状の木板により形成された芯材部と、前記芯材部の前記厚さ方向の上方側の面に接着されるとともに薄板状の第１繊維強化プラスチック板により形成された表面補強部と、前記芯材部の前記厚さ方向の下方側の面に接着されるとともに薄板状の第２繊維強化プラスチック板により形成された裏面補強部と、前記表面補強部の前記厚さ方向の上方側の面に接着されるとともに薄板状の表面板により形成された表面部と、前記裏面補強部の前記厚さ方向の下方側の面に接着されるとともに薄板状の裏面板により形成された裏面部と、を備えることを特徴とするスケートボード用のデッキにより解決される。
【０００８】
本構成のスケートボード用のデッキによれば、厚さ方向の中央部に芯材部が配置され、芯材部の厚さ方向の上方側の面と下方側の面にそれぞれ表面補強部と裏面補強部が接着される。芯材部が薄板状の木板により形成されているため、芯材部を繊維強化プラスチック板により形成する場合に比べて軽量化が実現される。また、表面補強部と裏面補強部が繊維強化プラスチック板により形成されて芯材部を補強するため、デッキの耐荷重性を高めることができる。また、表面補強部の厚さ方向の上方側の面に表面部が接着され、裏面補強部の厚さ方向の下方側の面に裏面部が接着されているため、繊維強化プラスチック板が表面又は裏面から露出する不具合を防止できる。
【０００９】
前記構成のスケートボード用のデッキにおいて、好ましくは、前記木板は、木目方向が前記長手方向と、前記長手方向に直交する幅方向と、前記長手方向及び前記幅方向に対して傾斜した斜め方向との少なくともいずれかに沿っていることを特徴とする。
本構成のスケートボード用のデッキによれば、木板の木目方向を長手方向に沿ったものとすることで長手方向の曲がりに対する耐荷重性を高めることができ、木板の繊維方向を幅方向に沿ったものとすることで幅方向の曲がりに対する耐荷重性を高めることができる。また、木板の木目方向を長手方向及び幅方向から傾斜した斜め方向の少なくともいずれかに沿ったものとすることで、長手方向の曲がりと幅方向の曲がりの双方に対する耐荷重性を高めることができる。
【００１０】
前記構成のスケートボード用のデッキにおいて、好ましくは、前記第１繊維強化プラスチック板及び前記第２繊維強化プラスチック板は、繊維方向が前記長手方向又は前記長手方向に直交する幅方向の少なくともいずれかに沿っていることを特徴とする。
本構成のスケートボード用のデッキによれば、繊維強化プラスチック板の繊維方向を長手方向に沿ったものとすることで長手方向の曲がりに対する耐荷重性を高めることができ、繊維強化プラスチック板の繊維方向を幅方向に沿ったものとすることで幅方向の曲がりに対する耐荷重性を高めることができる。また、繊維強化プラスチック板の繊維方向を長手方向と幅方向の双方に沿ったものとすることで、長手方向の曲がりと幅方向の曲がりの双方に対する耐荷重性を高めることができる。
【００１１】
前記構成のスケートボード用のデッキにおいて、好ましくは、前記第１繊維強化プラスチック板の外縁は、該第１繊維強化プラスチック板の全周において少なくとも前記表面板の外縁よりも内側に位置しており、前記第２繊維強化プラスチック板の外縁は、該第２繊維強化プラスチック板の全周において少なくとも前記裏面板の外縁よりも内側に位置していることを特徴とする。
本構成のスケートボード用デッキによれば、第１繊維強化プラスチック板の外縁及び第２繊維強化プラスチック板の外縁は、それぞれの繊維強化プラスチック板の全周において少なくとも表面板及び裏面板の外縁よりも内側に位置している。そのため、デッキの外縁が摩耗しても繊維強化プラスチック板の外縁から強化繊維が露出することがなく、強化繊維が露出することによる危険性を排除することができる。
【００１２】
前記構成のスケートボード用のデッキにおいて、好ましくは、前記第１繊維強化プラスチック板及び前記第２繊維強化プラスチック板は、前記長手方向の中央部における前記長手方向に直交する幅方向の長さが、前記デッキの前記長手方向の両端部における前記木板の前記幅方向の長さよりも短いことを特徴とする。
本構成のスケートボード用のデッキによれば、繊維強化プラスチック板のデッキの長手方向の中央部における捻り剛性が低減する。そのため、スケートボードの使用者は、デッキの中央部を捻る動作を必要とする技を容易に実行することができる。
【００１３】
前記構成のスケートボード用のデッキにおいて、好ましくは、前記木板は、前記長手方向の中央部における前記長手方向に直交する幅方向の長さが、前記デッキの前記長手方向の両端部における前記幅方向の長さよりも短いことを特徴とする。
本構成のスケートボード用のデッキによれば、木板のデッキの長手方向の中央部における捻り剛性が低減する。そのため、スケートボードの使用者は、デッキの中央部を捻る動作を必要とする技を容易に実行することができる。
【００１４】
前記構成のスケートボード用のデッキにおいて、好ましくは、前記第１繊維強化プラスチック板の全周を囲むように外枠状に配置されるとともに前記表面部と前記芯材部とに挟まれる空間を充填する第１充填材と、前記第２繊維強化プラスチック板の全周を囲むように外枠状に配置されるとともに前記裏面部と前記芯材部とに挟まれる空間を充填する第２充填材と、を備え、前記第１充填材は、前記木板の外縁及び／又は前記表面板の外縁と略一致する位置まで充填されており、前記第２充填材は、前記木板の外縁及び／又は前記裏面板の外縁と略一致する位置まで充填されていることを特徴とする。
【００１５】
本構成のスケートボード用のデッキによれば、第１充填材が木板の外縁及び表面板の外縁と一致する位置まで充填されているため、第１繊維強化プラスチック板が所望の位置に確実に位置決めされる。また、第２充填材が木板の外縁及び裏面板の外縁と一致する位置まで充填されているため、第２繊維強化プラスチック板が所望の位置に確実に位置決めされる。これにより、第１繊維強化プラスチック板及び第２繊維強化プラスチック板の位置決めの不良による強化繊維の外部への露出やデッキの強度特性の偏りを防止することができる。
【００１６】
前記構成のスケートボード用のデッキにおいて、好ましくは、前記裏面板は、超高分子量ポリエチレン樹脂により形成されていることを特徴とする。
超高分子量ポリエチレン樹脂は、一般の熱可塑性樹脂に比べて粘性が非常に高く流動性が少ない樹脂であるため、樹脂が有する滑り特性に加えて耐摩耗性が非常に高い。そのため、スケートボード用のデッキの裏面が手摺りなどに接触する際の摩耗を抑制することができる。
【００１７】
前記構成のスケートボード用のデッキにおいて、好ましくは、前記芯材部と前記表面補強部との間、前記芯材部と前記裏面補強部との間、前記表面補強部と前記表面部との間、前記裏面補強部と前記裏面部との間の少なくともいずれかは、不織布を介在させた状態で接着剤により接合されていることを特徴とする。
本構成のスケートボード用のデッキによれば、芯材部と表面補強部及び裏面補強部との間、表面補強部と表面部との間、裏面補強部と裏面部との間の少なくともいずれかに、これらを接合するための接着剤が保有され、かつ不織布の介在によって各場所における接着剤の保有量が均一化されるため、接着性能が向上する。
【００１８】
前記課題は、本発明によれば、上記のいずれかに記載のスケートボード用のデッキと、  前記デッキの裏面に取り付けられる車輪と、を備えるスケートボードにより解決される。
本構成のスケートボードによれば、軽量化を実現しつつ繊維強化プラスチック板を用いて耐荷重性を高めるとともに強化繊維が露出することによる危険性を排除したスケートボードを提供することができる。
【発明の効果】
【００１９】
本発明によれば、軽量化を実現しつつ耐荷重性を高めたスケートボード用のデッキ及びそれを備えたスケートボードを提供することができる。
【図面の簡単な説明】
【００２０】
【図１】本発明の第１実施形態に係るスケートボードを示す斜視図である。
【図２】図１のスケートボード用のデッキを示す平面図である。
【図３】図１のスケートボード用のデッキを示す正面図である。
【図４】図１のスケートボード用のデッキの接合前の状態を示す分解斜視図である。
【図５】木板の木目方向を示す斜視図である。
【図６】繊維強化プラスチック板の繊維方向を示す斜視図である。
【図７】繊維強化プラスチック板の外縁の形状を示す平面図である。
【図８】図４のスケートボード用のデッキを接合した状態を示すI-I矢視断面図である。
【図９】第２実施形態のスケートボード用のデッキの接合前の状態を示す分解斜視図である。
【図１０】図９のスケートボード用のデッキを接合した状態を示すII-II矢視断面図である。
【図１１】第２実施形態の充填材の変形例を示す平面図である。
【図１２】第３実施形態のスケートボード用のデッキの接合前の状態を示す分解斜視図である。
【図１３】図１２のスケートボード用のデッキを接合した状態を示すIII-III矢視断面図である。
【図１４】第４実施形態のスケートボード用のデッキの接合前の状態を示す分解斜視図である。
【図１５】図１４のスケートボード用のデッキを接合した状態を示すIV-IV矢視断面図である。
【図１６】第５実施形態のスケートボード用のデッキの接合前の状態を示す分解斜視図である。
【図１７】図１６に示す繊維強化プラスチック板の平面図である。
【図１８】第５実施形態の充填材を示す平面図である。
【図１９】図１６に示す木板の平面図である。
【図２０】図１６のスケートボード用のデッキを接合した状態を示すV-V矢視断面図である。
【発明を実施するための形態】
【００２１】
以下に、本発明の好ましい実施形態を、図面を参照して詳しく説明する。なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２２】
〔第１実施形態〕
以下、本発明の第１実施形態に係るスケートボード３００について、図面を参照して説明する。図１は、本実施形態に係るスケートボード３００を示す斜視図である。図２は、図１に示すスケートボード３００用のデッキ１００を示す平面図である。図３は、図１に示すスケートボード３００用のデッキ１００を示す正面図である。
【００２３】
図１に示すように、スケートボード３００は、使用者が両足を乗せるためのデッキ１００と、デッキ１００の裏面に取り付けられる一対の車輪２００と、を備える。
デッキ１００は、長手方向Ｌｄに沿って形成され、長手方向Ｌｄの端部に配置されるノーズ部１０１と、長手方向Ｌｄの端部に配置されるテール部１０２と、長手方向Ｌｄの中央部に配置される本体部１０３から構成されている。使用者がスケートボード３００を使用する際に、ノーズ部１０１は進行方向の前方側となりテール部１０２は進行方向の後方側となる。
【００２４】
図２に示すように、ノーズ部１０１とテール部１０２は、それぞれ平面視した場合に半円形状に形成されている。図３に示すように、ノーズ部１０１とテール部１０２は、正面視した場合に本体部１０３が配置される水平面に対して長手方向Ｌｄの端部へ向けて緩やかに反り上がる形状となっている。ノーズ部１０１と本体部１０３が連結される部分と、テール部１０２と本体部１０３が連結される部分には、それぞれ車輪２００を固定するために締結具（図示略）を挿入するための４つの貫通穴が設けられている。
【００２５】
図２に示すように、デッキ１００の長手方向Ｌｄの長さはＬ１であり、デッキ１００の長手方向Ｌｄに直交する幅方向Ｗｄの長さはＷ１である。図３に示すように、デッキ１００の厚さ方向Ｔｄの長さはＴ１である。例えば、Ｔ１は５〜１５ｍｍであり、Ｗ１は７００〜９００ｍｍであり、Ｌ１は１５０〜２５０ｍｍである。
【００２６】
次に、図１に示すデッキ１００について詳細に説明する。
本実施形態のデッキ１００は、薄板状の木板及び薄板状の繊維強化プラスチック板を複数枚接着剤で接合して成形した板状の積層構造体である。図４は、図１のスケートボード３００用のデッキ１００の接合前の状態を示す分解斜視図である。
【００２７】
図４に示すように、本実施形態のデッキ１００は、厚さ方向Ｔｄの中央部に配置される芯材部１０と、芯材部１０の厚さ方向Ｔｄの上方側の面に接着される表面補強部２０と、芯材部１０の厚さ方向Ｔｄの下方側の面に接着される裏面補強部３０と、表面補強部２０の厚さ方向Ｔｄの上方側の面に接着される表面部４０と、裏面補強部３０の厚さ方向Ｔｄの下方側の面に接着される裏面部５０と、を備える。
【００２８】
図４に示すように、芯材部１０は、厚さ方向Ｔｄの中央部に配置される薄板状の木板１１と、木板１１の厚さ方向Ｔｄの上方側の面に接着剤により圧着される薄板状の木板１２と、木板１１の厚さ方向Ｔｄの下方側の面に接着剤により圧着される薄板状の木板１３と、を有する。木板１１，１２，１３は、それぞれ厚さ方向Ｔｄの板厚を０．５ｍｍ以上かつ６ｍｍ以下の範囲とするのが望ましい。木板１１，１２，１３として、メープル、ポプラ、桐、サワグルミ等のロータリー木材を使用することができる。
【００２９】
図４において、木板１１，１２，１３の表面に示される線は木材の木目を示している。木板１１は木目方向がデッキ１００の幅方向Ｗｄに沿っており、木板１２，１３は木目方向がデッキ１００の長手方向Ｌｄに沿っている。木板１１，１２，１３としては、図５に示す木目方向がデッキ１００の長手方向Ｌｄに沿った木板１０Ａと、木目方向がデッキ１００の幅方向Ｗｄに沿った木板１０Ｂと、木目方向がデッキ１００の長手方向Ｌｄ及び幅方向Ｗｄに対して右斜め４５°方向に傾斜した木板１０Ｃと、木目方向がデッキ１００の長手方向Ｌｄ及び幅方向Ｗｄに対して左斜め４５°方向に傾斜した木板１０Ｄとの少なくともいずれかを採用することができる。
【００３０】
木板１１，１２，１３は、図５に示す木板１０Ａ，１０Ｂ，１０Ｃ，１０Ｄを組み合わせて構成してもよいし、木板１０Ａ，１０Ｂ，１０Ｃ，１０Ｄのいずれかだけで構成してもよい。その他、木板１１，１２，１３を、木板１０Ａ，１０Ｂ，１０Ｃ，１０Ｄを任意に組み合わせて構成してもよい。このような、方向性を特定した木目方向の木板１０Ａ，１０Ｂ、１０Ｃ、１０Ｄを使用することにより、デッキ１００の長手方向Ｌｄ、幅方向Ｗｄ、斜め方向についての強度と特性に係わるデッキ設計の自由度を高めることができる。
【００３１】
例えば、デッキ１００の長手方向Ｌｄの強度を高める場合には木目が長手方向Ｌｄに沿った木板１０Ａの使用枚数を増やすか、又はその厚さを厚くすることで目的が達成できる。デッキ１００の幅方向Ｗｄの強度を高める場合には、木目が幅方向Ｗｄに沿った木板１０Ｂの使用枚数を増やすか、又はその厚さを厚くすることで目的が達成できる。また、木目が斜め方向の木板１０Ｃ，１０Ｄはデッキ１００のねじり剛性に寄与するものとなるため、これらの木板の厚さ、構成枚数、組み合わせ等により、目的に応じた強度の芯材部１０を構成できる。
【００３２】
芯材部１０は、木板１１，１２，１３により構成されているため、折損に繋がる耐荷重性、素早い動作を可能にする反発弾性力、経年使用による強度低下（へたり）などに限界を呈する。そのため、本実施形態では、木板１１，１２，１３で構成した芯材部１０の上面及び下面に繊維強化プラスチック（ＦＲＰ）板を配設することで、木板１１，１２，１３だけによる物性上の問題を有効に解決している。
【００３３】
図４に示すように、表面補強部２０は薄板状の繊維強化プラスチック板（第１繊維強化プラスチック板）２１により形成されており、裏面補強部３０は薄板状の繊維強化プラスチック板（第２繊維強化プラスチック板）３１により形成されている。図４において、繊維強化プラスチック板２１，３１の表面に示される線は、強化繊維の繊維方向を示している。図４に示すように、繊維強化プラスチック板２１，３１は、デッキ１００の長手方向Ｌｄに沿った繊維方向の強化繊維と幅方向Ｗｄに沿った繊維方向の強化繊維を交互に配したものである。
【００３４】
繊維強化プラスチック板２１（繊維強化プラスチック板３１）としては、図６に示す一方向に繊維が引き揃えられた繊維方向がデッキ１００の長手方向Ｌｄに沿った繊維強化プラスチック板２０Ａ（３０Ａ）と、一方向に繊維が引き揃えられた繊維方向がデッキ１００の幅方向Ｗｄに沿った繊維強化プラスチック板２０Ｂ（３０Ｂ）と、繊維方向がデッキ１００の長手方向Ｌｄ及び幅方向Ｗｄの双方に沿った繊維強化プラスチック板２０Ｃ（３０Ｃ）の少なくともいずれかを採用することができる。
【００３５】
繊維強化プラスチック板２１，３１に用いられる強化繊維として、例えばガラス繊維、炭素繊維、アラミド繊維等を採用することができ、無機材料、有機材料を問わず各種の強化繊維を採用することができる。強化繊維に含侵されるマトリックス樹脂としては、エポキシ樹脂，ポリエステル樹脂等の熱硬化性樹脂、あるいはＡＢＳ樹脂，ＰＰ（ポリプロピレン）樹脂等の熱可塑性樹脂を採用することができる。
【００３６】
ここで、軽量化のため厚さと重量が限られるデッキ１００において、少量の強化繊維及びマトリックス樹脂を用いて、即ち軽量化を実現するための効率のよい補強効果を得るには、伸度特性の小さいガラス繊維等の無機繊維を強化繊維として採用し、硬化後の硬度が比較的高いエポキシ樹脂等の熱硬化性樹脂をマトリックス樹脂として採用するのが好ましい。さらに、繊維強化プラスチック板２１，３１は、予め加熱硬化されて形成されたＦＲＰ（繊維強化プラスチック）板を必要な強度となる厚さに加工して、厚さが規制されたＦＲＰ硬化板であることが好ましい。
【００３７】
例えば、半硬化状（所謂プリプレーグ状）のＦＲＰシートでは、デッキ１００の加熱成形と同時に加熱硬化させる必要があるため、成形時の加圧による未硬化樹脂の流動によって、ＦＲＰ板の厚さが均一となりにくく設計通りの物性値が得られない可能性があるからである。予め加熱硬化されたＦＲＰ硬化板は、その厚さだけを変化させて採用することにより、厚さに見合った強度特性が得られるので、デッキ１００の強度設計を容易で確実とすることができる。
【００３８】
繊維強化プラスチック板２１，３１は、強化繊維の体積含有率を４０％以上かつ６０％以下とするのが好ましい。強化繊維の体積含有率を４０％以上かつ６０％以下とすることにより、強化繊維とマトリックス樹脂との密着性が良好となり、強化繊維の特性を耐久性よく維持することができる。
【００３９】
繊維強化プラスチック板２１，３１は、強化繊維に樹脂が密着しているため、デッキ１００の外縁が摩耗すると強化繊維が尖った棘状物となって露出し、人体を怪我させる虞がある。そのための対策として、デッキの外周部を覆う保護カバーを別途の部材として取り付けてもよいが、重量増加や衝撃で脱落するなどの問題へと繋がり容易に採用できない。本実施形態では、保護カバー等の別途の部材を取り付けずに、強化繊維が手に刺さって怪我をさせる危険を防止している。
【００４０】
本実施形態では、図４に示すように、繊維強化プラスチック板２１の外縁が、繊維強化プラスチック板２１の全周において木板１２の外縁及び表面板４１の外縁よりも長さＬ２だけ内側に位置している。同様に、本実施形態では、繊維強化プラスチック板３１の外縁が、繊維強化プラスチック板３１の全周において木板１３の外縁及び裏面板５１の外縁よりも長さＬ２だけ内側に位置している。
【００４１】
図４において、繊維強化プラスチック板２１の外縁の外側に配置される二点鎖線は、木板１２の外縁及び表面板４１の外縁を示している。同様に、繊維強化プラスチック板３１の外縁の外側に配置される二点鎖線は、木板１３の外縁及び裏面板５１の外縁を示している。長さＬ２は、５ｍｍ以上かつ３０ｍｍ以下であり、好ましくは１０ｍｍ以上かつ２０ｍｍ以下である。
【００４２】
なお、繊維強化プラスチック板２１の外縁は、繊維強化プラスチック板２１の全周において木板１２の外縁及び表面板４１の外縁よりも内側に位置することに限定されるわけではない。例えば、繊維強化プラスチック板２１の外縁は、繊維強化プラスチック板２１の全周において木板１２の外縁及び表面板４１の外縁と略同じ位置に位置していてもよい。また、繊維強化プラスチック板３１の外縁は、繊維強化プラスチック板３１の全周において木板１３の外縁及び裏面板５１の外縁よりも内側に位置することに限定されるわけではない。例えば、繊維強化プラスチック板３１の外縁は、繊維強化プラスチック板３１の全周において木板１３の外縁及び裏面板５１の外縁と略同じ位置に位置していてもよい。
【００４３】
繊維強化プラスチック板２１の外縁の形状（繊維強化プラスチック板３１の外縁の形状）としては、図４に示す形状に変えて、図７に示す形状を採用してもよい。例えば、図７の繊維強化プラスチック板２１Ａ（繊維強化プラスチック板３１Ａ）のように、長手方向Ｌｄの両端部を台形状としてもよい。また、図７の繊維強化プラスチック板２１Ｂ（繊維強化プラスチック板３１Ｂ）のように、長手方向Ｌｄの両端部を三角形状としてもよい。また、図７の繊維強化プラスチック板２１Ｃ（繊維強化プラスチック板３１Ｃ）のように、長手方向Ｌｄの両端部を四角形状としてもよい。
【００４４】
図７において、繊維強化プラスチック板２１Ａ（繊維強化プラスチック板３１Ａ）の外縁の外側に配置される二点鎖線は、木板１２（木板１３）の外縁及び表面板４１（裏面板５１）の外縁を示している。同様に、繊維強化プラスチック板２１Ｂ（繊維強化プラスチック板３１Ｂ）の外縁の外側に配置される二点鎖線は、木板１２（木板１３）の外縁及び表面板４１（裏面板５１）の外縁を示している。同様に、繊維強化プラスチック板２１Ｃ（繊維強化プラスチック板３１Ｃ）の外縁の外側に配置される二点鎖線は、木板１２（木板１３）の外縁及び表面板４１（裏面板５１）の外縁を示している。
【００４５】
図７に示す繊維強化プラスチック板２１Ａ（繊維強化プラスチック板３１Ａ），繊維強化プラスチック板２１Ｂ（繊維強化プラスチック板３１Ｂ），繊維強化プラスチック板２１Ｃ（繊維強化プラスチック板３１Ｃ）のいずれも、長手方向Ｌｄの中央部分は、隣接して配置される木板及び表面板（裏面板）の外縁に対して長さＬ２だけ外縁が内側に配置されている。
【００４６】
一方、繊維強化プラスチック板２１Ａ（繊維強化プラスチック板３１Ａ），繊維強化プラスチック板２１Ｂ（繊維強化プラスチック板３１Ｂ），繊維強化プラスチック板２１Ｃ（繊維強化プラスチック板３１Ｃ）のいずれも、長手方向Ｌｄの両端部分は、隣接して配置される木板及び表面板（裏面板）の外縁に対して長さＬ２よりも長い距離離れて外縁が内側に配置されている。長手方向Ｌｄの両端部分は、主体となる強度領域である長手方向Ｌｄの中央部分を外れる部分であることから、成形加工の行い易い、台形、三角形、四角形等の形状としてもよい。
【００４７】
図７に示す繊維強化プラスチック板２１Ａ（繊維強化プラスチック板３１Ａ）は、繊維方向が幅方向Ｗｄに沿ったものであるが、繊維方向を長手方向Ｌｄに沿ったもの、あるいは繊維方向が幅方向Ｗｄと長手方向Ｌｄの双方に沿ったものであってもよい。図７に示す繊維強化プラスチック板２１Ｂ（繊維強化プラスチック板３１Ｂ）は、繊維方向が長手方向Ｌｄに沿ったものであるが、繊維方向を幅方向Ｗｄに沿ったもの、あるいは繊維方向が幅方向Ｗｄと長手方向Ｌｄの双方に沿ったものであってもよい。図７に示す繊維強化プラスチック板２１Ｃ（繊維強化プラスチック板３１Ｃ）は、繊維方向が幅方向Ｗｄと長手方向Ｌｄの双方に沿ったものであるが、繊維方向が幅方向Ｗｄに沿ったもの、あるいは繊維方向を長手方向Ｌｄに沿ったものであってもよい。
【００４８】
図４に示すように、表面部４０は、薄板状の表面板４１により形成されている。表面板４１は、繊維強化プラスチック板２１の強化繊維の露出を防止している。表面板４１としては、例えば、芯材部１０を構成する薄板状の木板と同様の木板のほか、ＡＢＳ、ＰＥ、ＰＢＴ，ポリエステル、ナイロン等の熱可塑性樹脂シートや、フェノール、メラミン、ポリエステル等の熱硬化性樹脂による樹脂シートを採用することができる。また、表面部４０は裏面部５０と比較して、大きく摩耗する要素が少ない部位であるため、表面板４１として、紙材、不織布等に樹脂含浸させた樹脂含浸シート、或いはアクリル、ウレタン樹脂等による塗膜材、さらに表面に塗装した木材等の表面が樹脂コートされた部材を採用することができる。表面板４１として樹脂製のシートを採用する場合、シートの厚さは０．１ｍｍ以上かつ１ｍｍ以下とするのが好ましく、その他の材料であれば０．０５ｍｍ以上かつ３ｍｍ以下が好ましい。
【００４９】
裏面部５０は、薄板状の裏面板５１により形成されている。裏面板５１は、繊維強化プラスチック板３１の強化繊維の露出を防止している。裏面部５０は、ブレーキ動作による床面との摩擦や、階段の手摺り上を滑るなどの曲芸的動作による摩擦によって、耐摩耗性に優れる材料を配置しないと容易に裏面補強部３０の繊維強化プラスチック板３１が露出し、これによって人体を傷付ける恐れを生じる。そこで、裏面板５１としては、芯材部１０を構成する薄板状の木板と同様の木板のほか、ＡＢＳ、ＰＥ、ＰＢＴ，ポリエステル、ナイロン等の熱可塑性樹脂シートや、フェノール、メラミン、ポリエステル等の熱硬化性樹脂による樹脂シートを採用することができる。その他に、裏面板５１としては、紙材、不織布等に樹脂含浸させた樹脂含浸シート、或いはアクリル、ウレタン樹脂等による塗膜材、さらに表面に塗装した木材等の表面が樹脂コートされた部材を採用することができる。特に、裏面板５１は、耐摩耗性に優れた樹脂シートであることが好ましく、とりわけ超高分子量ポリエチレン樹脂シートとすることがより好ましい。
【００５０】
通常の高密度等のポリエチレン（ＰＥ）樹脂の分子量は１０万分子量以下であるのに対して、超高分子量ポリエチレン樹脂は５０万分子量以上である。本実施形態では、裏面板５１は、５０万分子量以上の超高分子量ポリエチレン樹脂シートにより形成し、好ましくは１００万分子量以上の超高分子量ポリエチレン樹脂シートにより形成する。
【００５１】
超高分子量ポリエチレン樹脂は、樹脂本来の滑り特性に加えて耐摩耗性が非常に優れた特性を有し、通常の熱可塑性樹脂とは異なり非常に粘性が高く流動性が少ない樹脂である。そのため、通常の押出成形ができず、高温と高圧により樹脂を焼結して成形しなければならない。超高分子量ポリエチレン樹脂シートは、比重が１以下と軽量であり、０．１ｍｍ以上かつ５ｍｍ以下の厚さで採用することが可能であるが、特に下面側の耐摩耗性と軽量性を考慮すると、０．５ｍｍ以上かつ２ｍｍ以下の厚さのシートを採用するのが好ましい。また、超高分子量ポリエチレン樹脂シートは半透明性の樹脂であるため、任意に着色して使用してもよいし、裏面側（貼着面側）からスクリーン印刷や昇華印刷を施したデザインを施して採用することで、表面側（外側面）が摩耗してもデザインの消滅を防止することができる。
【００５２】
ここで、デッキ１００の幅方向Ｗｄの断面図について説明する。図８は、図４のスケートボード３００用のデッキ１００を接合した状態を示すI-I矢視断面図である。図８に示すように、本実施形態では、繊維強化プラスチック板２１の外縁が、繊維強化プラスチック板２１の全周において木板１２の外縁及び表面板４１の外縁よりも長さＬ２だけ内側に位置している。同様に、本実施形態では、繊維強化プラスチック板３１の外縁が、繊維強化プラスチック板３１の全周において木板１３の外縁及び裏面板５１の外縁よりも長さＬ２だけ内側に位置している。
【００５３】
図８に示すように、表面部４０の表面板４１の外縁は、芯材部１０の木板１２に接合されている。表面板４１の外縁から長さＬ２を経た位置よりも内側の部分は、繊維強化プラスチック板２１に接合されている。裏面部５０の裏面板５１の外縁は、芯材部１０の木板１３に接合されている。裏面板５１の外縁から長さＬ２を経た位置よりも内側の部分は、繊維強化プラスチック板３１に接合されている。
【００５４】
本実施形態では、芯材部１０と表面補強部２０と裏面補強部３０と表面部４０と裏面部５０との各部を、接着剤により接合して一体化している。一体化する方法は、例えば、各部を最終製品に対応した余尺を含む略同じ大きさに形成し、それぞれの積層接着面に接着剤を塗布し、成形型を介して加圧して一体に積層接着し、外形の余尺部分を切除して所望の外形形状のデッキ１００を得る方法である。ここで、デッキ１００の形状は、３次元的形状であるため、加圧時に各部の層間における圧力が必ずしも均一とならず、場所によって接着剤の保有量にバラツキが生じ、接着層間が剥離する事態を招く場合がある。
【００５５】
そこで、本実施形態では、芯材部１０と表面補強部２０との間、芯材部１０と裏面補強部３０との間、表面補強部２０と表面部４０との間、裏面補強部３０と裏面部５０との間の少なくともいずれかを、不織布を介在させた状態で接着剤により接合するようにしてもよい。不織布としては、ナイロン、ポリエステル、ビニロン等の合成繊維による不織布が好ましく使用できる。例えば、厚さ０．０５ｍｍ以上かつ０．５ｍｍ以下の厚さの不織布を使用可能である。不織布は、全ての層間に配置してもよく、成形上必要な層間にのみ配置してもよい。また、層間の全面に配置してもよく、必要な部分にのみ配置してもよい。
【００５６】
本実施形態では、例えば、木板１１，１２，１３の厚さが３ｍｍであり、繊維強化プラスチック板２１，３１の厚さが０．４ｍｍであり、表面板４１の厚さが０．５ｍｍであり、裏面板５１の厚さが１．１ｍｍである。
【００５７】
以上説明した本実施形態のスケートボード３００用のデッキ１００が奏する作用及び効果について説明する。
本実施形態のスケートボード３００用のデッキ１００によれば、厚さ方向Ｔｄの中央部に芯材部１０が配置され、芯材部１０の厚さ方向Ｔｄの上方側の面と下方側の面にそれぞれ表面補強部２０と裏面補強部３０が接着される。芯材部１０が薄板状の木板１１，１２，１３により形成されているため、芯材部１０を繊維強化プラスチック板により形成する場合に比べて軽量化が実現される。また、表面補強部２０と裏面補強部３０が繊維強化プラスチック板により形成されて芯材部１０を補強するため、デッキ１００の耐荷重性を高めることができる。また、表面補強部２０の厚さ方向の上方側の面に表面部４０が接着され、裏面補強部３０の厚さ方向の下方側の面に裏面部５０が接着されているため、繊維強化プラスチック板２１，３１が表面又は裏面から露出する不具合を防止できる。
【００５８】
また、本実施形態のスケートボード３００用のデッキ１００によれば、繊維強化プラスチック板２１の外縁及び繊維強化プラスチック板３１の外縁は、それぞれの繊維強化プラスチック板の全周において木板１２，１３の外縁並びに表面板及び裏面板の外縁よりも内側に位置している。そのため、デッキ１００の外縁が摩耗しても繊維強化プラスチック板の外縁から強化繊維が露出することがなく、強化繊維が露出することによる危険性を排除することができる。
【００５９】
〔第２実施形態〕
以下、本発明の第２実施形態に係るスケートボードについて、図面を参照して説明する。本実施形態は、第１実施形態の変形例であり、以下で特に説明する場合を除き、第１実施形態と同様であるものとする。
【００６０】
第１実施形態のデッキ１００は、表面補強部２０を繊維強化プラスチック板２１の１枚で構成し、裏面補強部３０を繊維強化プラスチック板３１の１枚で構成するものであった。それに対して、本実施形態は、表面補強部２０を繊維強化プラスチック板２２，２３の２枚で構成し、裏面補強部３０を繊維強化プラスチック板３２，３３の２枚で構成するものである。また、本実施形態のデッキ１００Ａは、繊維強化プラスチック板２２，２３，３２，３３の外周を囲むように配置される充填材を設けている。
【００６１】
図９に示すように、表面補強部２０は、木板１２の上方側の面に接着される薄板状の繊維強化プラスチック板（第１繊維強化プラスチック板）２２と、表面板４１の下方側の面に接着される薄板状の繊維強化プラスチック板（第１繊維強化プラスチック板）２３により形成されている。裏面補強部３０は、木板１３の下方側の面に接着される薄板状の繊維強化プラスチック板（第２繊維強化プラスチック板）３２と、裏面板５１の上方側の面に接着される薄板状の繊維強化プラスチック板（第２繊維強化プラスチック板）３３により形成されている。
【００６２】
図９に示すように、繊維強化プラスチック板２２，３２はデッキ１００の幅方向Ｗｄに沿った繊維方向を有しており、繊維強化プラスチック板２３，３３はデッキ１００の長手方向Ｌｄに沿った繊維方向を有している。表面補強部２０及び裏面補強部３０は、幅方向Ｗｄに沿った繊維方向の繊維強化プラスチック板と長手方向Ｌｄに沿った繊維方向の繊維強化プラスチック板を組み合わせたものである。図６に示すように、繊維方向がデッキ１００の長手方向Ｌｄ及び幅方向Ｗｄの双方に沿った繊維強化プラスチック板２０Ｃ，３０Ｃでは、強化繊維が交差する部分で繊維の屈曲による応力集中が発生して、十分な強度特性が得られにくい。それに対して、本実施形態の表面補強部２０及び裏面補強部３０では、繊維の方向が一方向に引き揃えられた繊維強化プラスチック板であり、このような応力集中が発生しないため補強効率に優れ、その結果、全体として軽量でありながら高い強度のデッキ１００を実現することができる。
【００６３】
図９に示すように、本実施形態では、繊維強化プラスチック板２２，２３の外縁が、繊維強化プラスチック板２２，２３の全周において木板１２の外縁及び表面板４１の外縁よりも長さＬ２だけ内側に位置している。同様に、繊維強化プラスチック板３２，３３の外縁が、繊維強化プラスチック板３２，３３の全周において木板１３の外縁及び裏面板５１の外縁よりも長さＬ２だけ内側に位置している。
【００６４】
図９に示すように、繊維強化プラスチック板２２，２３の周囲には、全周を取り囲むように外枠状に配置される充填材（第１充填材）２２ａ，２３ａが配置されている。繊維強化プラスチック板３２，３３の周囲には、全周を取り囲むように外枠状に配置される充填材（第２充填材）３２ａ，３３ａが配置されている。
【００６５】
図１０は、図９のスケートボード３００用のデッキ１００Ａを接合した状態を示すII-II矢視断面図である。図１０に示すように、充填材２２ａは、表面部４０と芯材部１０とに挟まれる空間を充填するものであり、繊維強化プラスチック板２２の外縁から木板１２の外縁と一致する位置まで充填されている。充填材２３ａは、表面部４０と芯材部１０とに挟まれる空間を充填するものであり、繊維強化プラスチック板２３の外縁から表面板４１の外縁と一致する位置まで充填されている。
【００６６】
充填材３２ａは、裏面部５０と芯材部１０とに挟まれる空間を充填するものであり、繊維強化プラスチック板３２の外縁から木板１３の外縁と一致する位置まで充填されている。充填材３３ａは、裏面部５０と芯材部１０とに挟まれる空間を充填するものであり、繊維強化プラスチック板３３の外縁から裏面板５１の外縁と一致する位置まで充填されている。
【００６７】
充填材２２ａ，２３ａ，３２ａ，３３ａとしては、例えば、ＡＢＳ、ＰＥ（ポリエチレン）、ＰＰ（ポリプロピレン）等の樹脂シート及びこれらの発泡樹脂シートが好ましく、着色できる点などからデザイン的にも好ましい。充填材２２ａ，２３ａ，３２ａ，３３ａとして、その他に木材、紙材、不織布材及びこれらの樹脂含浸シート等が採用できる。これらのシート材は繊維強化プラスチック板の厚さと略同じ厚さとするのが望ましいが、より厚くしても、より薄くしてもよく、この場合、表面部４０及び／又は裏面部５０の外周部分を凸状或いは凹状にしたデザインを付加できる。また、補強部２０，３０の外枠状に配置される本実施形態の充填材２２ａ，２３ａ，３３ａは、一体的に連続した状態で外枠状に形成されていてもよく、或いは複数に分断して外枠状に形成されていても構わない。
【００６８】
なお、繊維強化プラスチック板２２，２３，３２，３３の周囲に配置された充填材２２ａ，２３ａ，３２ａ，３３ａは、必ずしも設けられていなくともよい。充填材２２ａ，２３ａ，３２ａ，３３ａの少なくともいずれかは、省略されてもよい。この場合において、充填材２２ａ，２３ａ，３２ａ，３３ａの少なくともいずれかが省略された部分では、繊維強化プラスチック板２２，２３，３２，３３の少なくともいずれかの外縁を、木板１１，１２，１３、表面板４１及び裏面板５１の外縁と略同じ位置に配置することが可能である。
【００６９】
繊維強化プラスチック板２２，２３として、図７に示す両端部が台形状の繊維強化プラスチック板２１Ａを用いる場合には、図１１に示す充填材２１Ａａを用いる。図１１は、第２実施形態の充填材２２ａ，２３ａ，３２ａ，３３ａの変形例を示す平面図である。充填材２１Ａａは、外周の形状が木板１２及び表面板４１と一致し、内周の形状が繊維強化プラスチック板２１Ａと一致した充填材である。
【００７０】
繊維強化プラスチック板２２，２３として、図７に示す両端部が三角形状の繊維強化プラスチック板２１Ｂを用いる場合には、図１１に示す充填材２１Ｂａを用いる。充填材２１Ｂａは、外周の形状が木板１２及び表面板４１と一致し、内周の形状が繊維強化プラスチック板２１Ｂと一致した充填材である。
【００７１】
繊維強化プラスチック板２２，２３として、図７に示す両端部が四角形状の繊維強化プラスチック板２１Ｃを用いる場合には、図１１に示す充填材２１Ｃａを用いる。充填材２１Ｃａは、外周の形状が木板１２及び表面板４１と一致し、内周の形状が繊維強化プラスチック板２１Ｃと一致した充填材である。繊維強化プラスチック板３２，３３として、図７に示す繊維強化プラスチック板２１Ａ，２１Ｂ，２１Ｃを用いる場合にも、図１１に示す充填材２１Ａａ，２１Ｂａ，２１Ｃａをそれぞれ用いる。
【００７２】
本実施形態では、例えば、木板１１，１２，１３の厚さが２ｍｍであり、繊維強化プラスチック板２２，３２の厚さが０．３ｍｍであり、繊維強化プラスチック板２３，３３の厚さが０．７ｍｍであり、表面板４１の厚さが０．５ｍｍであり、裏面板５１の厚さが１．１ｍｍである。
【００７３】
以上説明した本実施形態のスケートボード３００用のデッキ１００Ａによれば、表面補強部２０を繊維強化プラスチック板２２，２３の２枚で構成し、裏面補強部３０を繊維強化プラスチック板３２，３３の２枚で構成しているため、耐荷重性を十分に高めることができる。
【００７４】
また、本実施形態のスケートボード３００用のデッキ１００Ａによれば、充填材２２ａ，２３ａが木板１２の外縁及び／又は表面板４１の外縁と略一致する位置まで充填されているため、繊維強化プラスチック板２２，２３が所望の位置に確実に位置決めされる。また、充填材３２ａ，３３ａが木板１３の外縁及び／又は裏面板５１の外縁と略一致する位置まで充填されているため、繊維強化プラスチック板３２，３３が所望の位置に確実に位置決めされる。これにより、繊維強化プラスチック板２２，２３，３２，３３の位置決めの不良による強化繊維の外部への露出やデッキの強度特性の偏りを防止することができる。
【００７５】
〔第３実施形態〕
以下、本発明の第３実施形態に係るスケートボードについて、図面を参照して説明する。本実施形態は、第２実施形態の変形例であり、以下で特に説明する場合を除き、第２実施形態と同様であるものとする。
【００７６】
第２実施形態のデッキ１００Ａは、芯材部１０を３枚の木板１１，１２，１３により構成し、表面補強部２０を２枚の繊維強化プラスチック板２２，２３により構成し、裏面補強部３０を２枚の繊維強化プラスチック板３２，３３により構成するものであった。それに対して、本実施形態のデッキ１００Ｂは、芯材部１０を１枚の木板１４により構成し、表面補強部２０を３枚の繊維強化プラスチック板２２，２３，２４により構成し、裏面補強部３０を３枚の繊維強化プラスチック板３２，３３，３４により構成するものである。すなわち、本実施形態のデッキ１００Ｂは、木板の枚数を減らす一方で繊維強化プラスチック板の枚数を増やしたものである。
【００７７】
図１２に示すように、芯材部１０は、木目方向が長手方向Ｌｄに沿った木板１４により構成されている。表面補強部２０は、木板１４の上方側の面に接着される薄板状の繊維強化プラスチック板２２と、表面板４１の下方側の面に接着される薄板状の繊維強化プラスチック板２３と、繊維強化プラスチック板２２，２３の間に配置されるとともに繊維方向が長手方向Ｌｄに沿った繊維強化プラスチック板２４により構成されている。裏面補強部３０は、木板１４の下方側の面に接着される薄板状の繊維強化プラスチック板３２と、裏面板５１の上方側の面に接着される薄板状の繊維強化プラスチック板３３と、繊維強化プラスチック板３２，３３の間に配置されるとともに繊維方向が長手方向Ｌｄに沿った繊維強化プラスチック板３４により構成されている。
【００７８】
図１３は、図１２のスケートボード３００用のデッキ１００Ｂを接合した状態を示すIII-III矢視断面図である。図１３に示すように、充填材２２ａは、表面部４０と芯材部１０とに挟まれる空間を充填するものであり、繊維強化プラスチック板２２，２３，２４の外縁から木板１４の外縁と一致する位置まで充填されている。充填材３３ａは、裏面部５０と芯材部１０とに挟まれる空間を充填するものであり、繊維強化プラスチック板３２，３３，３４の外縁から裏面板５１の外縁と一致する位置まで充填されている。従って、この例の充填材２２ａは繊維強化プラスチック板２２，２３，２４の総厚さと同じ厚さであり、また、充填材３３ａは繊維強化プラスチック板３２，３３，３４の総厚さと同じ厚さとなっている。
【００７９】
なお、繊維強化プラスチック板２２，２３，２４，３２，３３，３４の周囲に配置された充填材２２ａ，３３ａは、必ずしも設けられていなくともよい。充填材２２ａ，３３ａの少なくともいずれかは、省略されてもよい。この場合において、充填材２２ａ，３３ａの少なくともいずれかが省略された部分では、繊維強化プラスチック板２２，２３，２４，３２，３３，３４の少なくともいずれかの外縁を、木板１４、表面板４１及び裏面板５１の外縁と略同じ位置に配置することが可能である。
【００８０】
本実施形態では、例えば、木板１４の厚さが４ｍｍであり、繊維強化プラスチック板２２，２３，２４，３２，３３，３４の厚さがそれぞれ０．３ｍｍであり、表面板４１の厚さが０．５ｍｍであり、裏面板５１の厚さが１．１ｍｍである。
本実施形態のデッキ１００Ｂによれば、第２実施形態のデッキ１００Ａに比べ、木板の枚数を減らす一方で繊維強化プラスチック板の枚数を増やしているため、第２実施形態のデッキ１００Ａよりも耐荷重性が向上する。
【００８１】
また、スケートボードのデッキ１００Ｂは３次元的な形態であるため、表面補強部２０及び裏面補強部３０を構成する繊維強化プラスチック板を、例えば厚さの厚い１枚で構成するよりも半分の厚さの２枚で構成する方が、平板状の部材から３次元な形状に、より安定的に加工し易い。これは、厚い１枚の補強材で２次元又は３次元的な曲げ加工をすると、スプリングバックが大きく型通りの成形が難しいが、半分の厚さ２枚の補強材を使用することで、この２枚の補強材の層間に曲げずれを生じるため、型に対してより忠実な曲げ加工が可能となる。また、製品に対しても、直線に戻ろうとする内部応力が低減され、長期間に亘って安定した形状が維持できる。
【００８２】
〔第４実施形態〕
以下、本発明の第４実施形態に係るスケートボードについて、図面を参照して説明する。本実施形態は、第２実施形態の変形例であり、以下で特に説明する場合を除き、第２実施形態と同様であるものとする。第２実施形態のデッキ１００Ａは、芯材部１０を３枚の木板１１，１２，１３により構成するものであった。それに対して、本実施形態のデッキ１００Ｃは、芯材部１０を２枚の木板１１，１３により構成するものである。すなわち、本実施形態のデッキ１００Ｃは、木板の枚数を減らしたものである。
【００８３】
図１４に示すように、芯材部１０は、木目方向が幅方向Ｗｄに沿った木板１１と、木目方向が長手方向Ｌｄに沿った木板１３の２枚により構成されている。表面補強部２０は、木板１１の上方側の面に接着される薄板状の繊維強化プラスチック板２５と、表面板４１の下方側の面に接着される薄板状の繊維強化プラスチック板２３により構成されている。裏面補強部３０は、木板１３の下方側の面に接着される薄板状の繊維強化プラスチック板３５と、裏面板５１の上方側の面に接着される薄板状の繊維強化プラスチック板３３により構成されている。
【００８４】
図１５は、図１４のスケートボード３００用のデッキ１００Ｃを接合した状態を示すIV-IV矢視断面図である。図１５に示すように、充填材２３ａは、表面部４０と芯材部１０とに挟まれる空間を充填するものであり、繊維強化プラスチック板２３の外縁から表面板４１の外縁と一致する位置まで充填されている。充填材２５ａは、表面部４０と芯材部１０とに挟まれる空間を充填するものであり、繊維強化プラスチック板２５の外縁から木板１１の外縁と一致する位置まで充填されている。充填材３５ａは、裏面部５０と芯材部１０とに挟まれる空間を充填するものであり、繊維強化プラスチック板３５の外縁から木板１３の外縁と一致する位置まで充填されている。充填材３３ａは、裏面部５０と芯材部１０とに挟まれる空間を充填するものであり、繊維強化プラスチック板３３の外縁から裏面板５１の外縁と一致する位置まで充填されている。
【００８５】
なお、繊維強化プラスチック板２３，２５，３３，３５の周囲に配置された充填材２３ａ，２５ａ，３３ａ，３５ａは、必ずしも設けられていなくともよい。充填材２３ａ，２５ａ，３３ａ，３５ａの少なくともいずれかは、省略されてもよい。この場合において、充填材２３ａ，２５ａ，３３ａ，３５ａの少なくともいずれかが省略された部分では、繊維強化プラスチック板２３，２５，３３，３５の少なくともいずれかの外縁を、木板１１，１３、表面板４１及び裏面板５１の外縁と略同じ位置に配置することが可能である。
【００８６】
本実施形態では、例えば、木板１１，１３の厚さがそれぞれ２ｍｍであり、繊維強化プラスチック板２３，３３の厚さがそれぞれ１ｍｍであり、繊維強化プラスチック板２５，３５の厚さがそれぞれ０．２ｍｍであり、表面板４１の厚さが０．５ｍｍであり、裏面板５１の厚さが１．１ｍｍである。
本実施形態のデッキ１００Ｃによれば、第２実施形態のデッキ１００Ａに比べ、木板の枚数を減らしているため、第２実施形態のデッキ１００Ａよりも軽量化されている。
【００８７】
〔第５実施形態〕
以下、本発明の第５実施形態に係るスケートボード３００用のデッキ１００Ｄについて、図面を参照して説明する。本実施形態は、第２実施形態の変形例であり、以下で特に説明する場合を除き、第２実施形態と同様であるものとする。スケートボード３００は軸端の左右に固定した２輪による車輪２００が一対で取り付けられているため、例えば３次元的に変形した路面を走行する際に４輪全てが路面に接地できず、的確なボード操作ができない場合があった。そのため、本実施形態は、デッキ１００Ｄの長手方向Ｌｄの中央部における捻り剛性を低減させ、このような路面においてもスケートボードの使用者がデッキ１００Ｄの中央部を捻る動作を必要とする技を容易に実行することができるようにしたものである。
【００８８】
図１６は、第５実施形態のスケートボード用のデッキ１００Ｄの接合前の状態を示す分解斜視図である。図１６に示すように、芯材部１０は、木目方向が幅方向Ｗｄに沿った木板１１Ａと、木目方向が長手方向Ｌｄに沿った木板１２，１３により構成されている。表面補強部２０は、木板１２の上方側の面に接着される薄板状の繊維強化プラスチック板２２Ａと、表面板４１の下方側の面に接着される薄板状の繊維強化プラスチック板２３により構成されている。裏面補強部３０は、木板１３の下方側の面に接着される薄板状の繊維強化プラスチック板３２Ａと、裏面板５１の上方側の面に接着される薄板状の繊維強化プラスチック板３３により構成されている。
【００８９】
図１７は、図１６に示す繊維強化プラスチック板２２Ａ（３２Ａ）の平面図である。図１７に示すように、繊維強化プラスチック板２２Ａは、デッキ１００Ｄの長手方向Ｌｄの中央部における幅方向Ｗｄの長さＬ３が、デッキ１００Ｄの長手方向Ｌｄの両端部における木板１２の幅方向Ｗｄの長さＬ６よりも短い。同様に、繊維強化プラスチック板３２Ａは、デッキ１００Ｄの長手方向Ｌｄの中央部における幅方向Ｗｄの長さＬ３が、デッキ１００Ｄの長手方向Ｌｄの両端部における木板１３の幅方向Ｗｄの長さＬ６よりも短い。長さＬ３は、長さＬ６の２０％以上かつ７０％以下の範囲で設定するのが望ましい。長さＬ６を２００ｍｍとした場合には、４０ｍｍ以上かつ１４０ｍｍ以下の範囲で長さＬ３を設定する。
【００９０】
図１７に示す繊維強化プラスチック板２２Ａ（３２Ａ）は、繊維方向が幅方向Ｗｄに沿ったものとしたが、他の態様であってもよい。例えば、繊維強化プラスチック板２２Ａ（３２Ａ）は、繊維方向が長手方向Ｌｄに沿ったものでもよいし、繊維方向が長手方向Ｌｄと幅方向Ｗｄの双方に沿ったものであってもよい。
【００９１】
図１６に示すように、繊維強化プラスチック板２２Ａの周囲には、全周を取り囲むように外枠状に配置される充填材（第１充填材）２２Ａａが配置されている。繊維強化プラスチック板３２Ａの周囲には、全周を取り囲むように外枠状に配置される充填材（第２充填材）３２Ａａが配置されている。図１８に示すように、充填材２２Ａａ（充填材３２Ａａ）は、繊維強化プラスチック板２２Ａ（繊維強化プラスチック板３２Ａ）の外形と同じ内周面を備えている。充填材２２Ａａ（充填材３２Ａａ）としては、第２実施形態の充填材２２ａ，２３ａ，３２ａ，３３ａと同様の材料を採用することができる。
【００９２】
図１９は、図１６に示す木板１１Ａの平面図である。図１９に示すように、木板１１Ａは、デッキ１００Ｄの長手方向Ｌｄの中央部における幅方向Ｗｄの長さＬ５が、デッキ１００Ｄの長手方向Ｌｄの両端部における幅方向Ｗｄの長さＬ６よりも短い。図１８に示すように、長さＬ６は、長さＬ４に長さＬ２の２倍の長さを加算したものである。長さＬ５は、長さＬ６の２０％以上かつ７０％以下の範囲で設定するのが望ましい。
【００９３】
図１９に示すように、木板１１Ａの長手方向Ｌｄの中央部には、幅方向Ｗｄの長さがＬ５となる部分を挟むように木板用充填材１１Ａａが配置されている。木板用充填材１１Ａａとしては、第２実施形態の充填材２２ａ，２３ａ，３２ａ，３３ａと同様の材料を採用することができる。
【００９４】
図２０は、図１６のスケートボード３００用のデッキ１００Ｄを接合した状態を示すV-V矢視断面図である。図２０に示すように、充填材２３ａは、表面部４０と芯材部１０とに挟まれる空間を充填するものであり、繊維強化プラスチック板２３の外縁から表面板４１の外縁と一致する位置まで充填されている。充填材２２Ａａは、表面部４０と芯材部１０とに挟まれる空間を充填するものであり、繊維強化プラスチック板２２Ａの外縁から木板１２の外縁と一致する位置まで充填されている。
【００９５】
充填材３３ａは、裏面部５０と芯材部１０とに挟まれる空間を充填するものであり、繊維強化プラスチック板３３の外縁から裏面板５１の外縁と一致する位置まで充填されている。充填材３２Ａａは、裏面部５０と芯材部１０とに挟まれる空間を充填するものであり、繊維強化プラスチック板３２Ａの外縁から木板１３の外縁と一致する位置まで充填されている。木板用充填材１１Ａａは、木板１２と木板１３とに挟まれる空間を充填するものであり、木板１１Ａの外縁から木板１２，１３の外縁と一致する位置まで充填されている。
【００９６】
なお、繊維強化プラスチック板２３，３３の周囲に配置された充填材２３ａ，３３ａは、必ずしも設けられていなくともよい。充填材２３ａ，３３ａの少なくともいずれかは、省略されてもよい。この場合において、充填材２３ａ，３３ａの少なくともいずれかが省略された部分では、繊維強化プラスチック板２３，３３の少なくともいずれかの外縁を、木板１１Ａ，１２，１３、表面板４１及び裏面板５１の外縁と略同じ位置に配置することが可能である。
【００９７】
また、繊維強化プラスチック板２２Ａ，３２Ａの幅方向Ｗｄの長さＬ４は、デッキ１００Ｄの長手方向Ｌｄの両端部における幅方向Ｗｄの長さＬ６と同じであってもよい。この場合において、繊維強化プラスチック板２２Ａ、３２Ａの周囲に配置された充填材２２Ａａ、３２Ａａのうちの少なくとも一部は、省略されてもよい。さらに、充填材２２Ａａ、３２Ａａの少なくともいずれかを省略することが可能である。
【００９８】
本実施形態では、繊維強化プラスチック板２２Ａ，３２Ａについて、デッキ１００Ｄの長手方向Ｌｄの中央部における幅方向Ｗｄの長さＬ３を、デッキ１００Ｄの長手方向Ｌｄの両端部における木板１２，１３の幅方向Ｗｄの長さＬ６よりも短いものとしたが他の態様であってもよい。例えば、繊維強化プラスチック板２３，３３についても同様に、デッキ１００Ｄの長手方向Ｌｄの中央部における幅方向Ｗｄの長さＬ３を、デッキ１００Ｄの長手方向Ｌｄの両端部における木板１２，１３の幅方向Ｗｄの長さＬ６よりも短いものとしてもよい。
【００９９】
また、本実施形態では、繊維強化プラスチック板２２Ａ，３２Ａの長さＬ３よりも、木板１１Ａの長さＬ５の方が大きいが、長さＬ３と長さＬ５は同じ長さとしてもよい。また、長さＬ３を長さＬ５よりも大きくすることもできる。また、このように幅方向Ｗｄの長さＬ６よりも短くするＬ３、Ｌ５に到る形状については、図１６の繊維強化プラスチック板２２Ａ，３２Ａのように曲線状の形状で短くしてもよいし、木板１１Ａのように直線状の形状でその長さを短くすることでもよい。好ましくは、積層の構成によって必要とされる捻り剛性に調整したデザインとするのが好ましい。
【０１００】
本実施形態では、木板１１Ａについて、デッキ１００Ｄの長手方向Ｌｄの中央部における幅方向Ｗｄの長さＬ５を、デッキ１００Ｄの長手方向Ｌｄの両端部における幅方向Ｗｄの長さＬ６よりも短いものとしたが他の態様であってもよい。例えば、木板１２，１３についても、デッキ１００Ｄの長手方向Ｌｄの中央部における幅方向Ｗｄの長さＬ５を、デッキ１００Ｄの長手方向Ｌｄの両端部における幅方向Ｗｄの長さＬ６よりも短いものとしてもよい。
【０１０１】
本実施形態では、例えば、木板１１Ａ，１２，１３の厚さがそれぞれ１．８ｍｍ、１．４ｍｍ、１．４ｍｍであり、繊維強化プラスチック板２２Ａ，３２Ａの厚さが０．３ｍｍであり、繊維強化プラスチック板２３，３３の厚さが０．３ｍｍであり、木目方向が長手方向Ｌｄに沿った木板による表面板４１の厚さが１．０ｍｍであり、超高分子量ポリエチレン製の樹脂シートによる裏面板５１の厚さが０．５ｍｍである。
【０１０２】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。本実施形態では、デッキ１００の長手方向Ｌｄの中央部の横断面となる図８、図１０、図１３、図１５、図２０において、幅方向Ｗｄの端部がいずれも角部形状となっているが、適宜の円弧状に丸めることができる。
【符号の説明】
【０１０３】
１０・・・芯材部、  １０Ａ，１０Ｂ，１０Ｃ，１０Ｄ，１１，１１Ａ，１２，１３，１４・・・木板、  １１Ａａ・・・木板用充填材、  ２０・・・表面補強部、  ２０Ａ，
２０Ｂ，２０Ｃ，２１，２１Ａ，２１Ｂ，２１Ｃ，２２，２２Ａ，２３，２４，２５・・・繊維強化プラスチック板（第１繊維強化プラスチック板）、  ２１Ａａ，２１Ｂａ，２１Ｃａ，２２ａ，２２Ａａ，２３ａ，２５ａ・・・充填材（第１充填材）、  ３０・・・裏面補強部、  ３０Ａ，３０Ｂ，３０Ｃ，３１，３１Ａ，３１Ｂ，３１Ｃ，３２，３２Ａ，３３，３４，３５・・・繊維強化プラスチック板（第２繊維強化プラスチック板）、  ３２ａ，３２Ａａ，３３ａ，３５ａ・・・充填材（第２充填材）、  ４０・・・表面部、  ４１・・・表面板、  ５０・・・裏面部、  ５１・・・裏面板、  １００，１００Ａ，１００Ｂ，１００Ｃ，１００Ｄ・・・デッキ、  １０１・・・ノーズ部、  １０２・・・テール部，  １０３：本体部、  ２００・・・車輪、  ３００・・・スケートボード、  Ｌｄ・・・長手方向、  Ｔｄ・・・厚さ方向、  Ｗｄ・・・幅方向
【図１】
2020018836.tif 000003
【図２】
2020018836.tif 000004
【図３】
2020018836.tif 000005
【図４】
2020018836.tif 000006
【図５】
2020018836.tif 000007
【図６】
2020018836.tif 000008
【図７】
2020018836.tif 000009
【図８】
2020018836.tif 000010
【図９】
2020018836.tif 000011
【図１０】
2020018836.tif 000012
【図１１】
2020018836.tif 000013
【図１２】
2020018836.tif 000014
【図１３】
2020018836.tif 000015
【図１４】
2020018836.tif 000016
【図１５】
2020018836.tif 000017
【図１６】
2020018836.tif 000018
【図１７】
2020018836.tif 000019
【図１８】
2020018836.tif 000020
【図１９】
2020018836.tif 000021
【図２０】
2020018836.tif 000022